(57)【特許請求の範囲】
【請求項１】
動力部と、該動力部に対して着脱に連結されるハンドピース部とから成り、連結された時に、前記動力部に設けられた光源からの光が前記ハンドピース部に設けられたライトガイドに伝達され、該ライトガイドを通して該ハンドピース部の先端部より放射されるようにした歯科治療用インスツルメントにおいて、前記動力部は、白色光源と青紫色光源を有し、前記ハンドピース部が第１の位置で前記動力部に連結された時は、前記動力部の白色光源が点灯されて白色光が前記ライトガイドに伝達され、第２の位置で連結された時は、前記青紫色光源が点灯されて青紫色光が前記ライトガイドに伝達されるようにしたことを特徴とする歯科治療用インスツルメント。
【請求項２】
前記動力部には、第１及び第２のガイド溝を、前記ハンドピース部には前記第１及び第２のガイド溝に選択的に連結される単一のガイド板とを有し、該ガイド板が前記第１のガイド溝に連結された時に、前記白色光が前記ライトガイドに伝達され、前記ガイド板が前記第２のガイド溝に連結された時に、前記青紫色光が前記ライトガイドに伝達されるようにしたことを特徴とする請求項１に記載の歯科治療用インスツルメント。
【請求項３】
前記青紫色光は３８０ｎｍ〜４２０ｎｍの波長であることを特徴とする請求項１又は２に記載の歯科治療用インスツルメント。
【発明の詳細な説明】
【技術分野】
【０００１】
本発明は、歯科治療用インスツルメント、より詳細には、マイクロエンジンや超音波スケーラを用いて歯牙のう蝕部位の切削治療等を行う場合に、う蝕部位をよく認識しながら切削できるようにし、もって、健全な部位の削り取りが行われないようにした歯科治療用インスツルメントに関する。
【背景技術】
【０００２】
歯科治療においては、口腔内の治療に用いる各種インスツルメント、例えば、マイクロエンジン、エアータービン、シリンジ、超音波スケーラ等は、作業部位を照明するための光源及び該光源からの光を導くライトガイドが内蔵されている。
【０００３】
図２は、光導体（ライトガイド）が内蔵されている歯科用インスツルメントの一例としてのマイクロエンジンのハンドピース部を示す図で、ハンドピース部１は、周知のように、図示しない動力部に着脱自在に連結されるように構成されており、動力部に内蔵されているモータの回転が該ハンドピース部１に内蔵されているスピンドル２を通してヘッド部３に伝達され、該ヘッド部３に設けられているチャック機構を回転する。このチャック機構には、例えぱ、歯牙を切削する切削具（バー）４が着脱自在に装着され、該切削具４が回転されて歯牙の切削が行なわれる。
【０００４】
図２において、５はライトガイド（光導体）で、該ライトガイド５は、周知のように、図示しない一端が、動力部内に配設されている光源に対向して終端し、他端５ａが、図示のように、ヘッド部３近傍に終端して、切削具４の作業領域近傍を照明する。図２には、マイクロエンジンを例に示したが、前述のエアータービン、シリンジ、超音波スケーラ等にも、前記ライトガイド５と同様の光導体及び光源を具備し、作業領域を照明するようになっている。
【０００５】
以上に示した例は、ライトガイド５を通して伝達されてくる光（白色光）を照明に利用するものであるが、マイクロエンジンや超音波スケーラを用いて歯牙の切削等を行う場合、白色光では歯牙のう蝕部位が見にくく、健全な部分まで切削してしまう恐れがあった。
【発明の概要】
【発明が解決しようとする課題】
【０００６】
本発明は、上述のごとき実情に鑑みてなされたもので、マイクロエンジンや超音波スケーラを用いて歯牙のう蝕部位の切削等を行う場合に、該う蝕部位がよく見える（認識できる）ようにし、健全な部位まで削ってしまう恐れがないようにした歯科治療用インスツルメントを提供することを目的にしてなされたものである。
【課題を解決するための手段】
【０００７】
上記課題を解決するために、請求項１の発明は、動力部と、該動力部に対して着脱に連結されるハンドピース部とから成り、連結された時に、前記動力部に設けられた光源からの光が前記ハンドピース部に設けられたライトガイドに伝達され、該ライトガイドを通して該ハンドピース部の先端部より放射されるようにした歯科治療用インスツルメントにおいて、前記動力部は、白色光源と青紫色光源を有し、前記ハンドピース部が第１の位置で前記動力部に連結された時は、前記動力部の白色光源が点灯されて白色光が前記ライトガイドに伝達され、第２の位置で連結された時は、前記青紫色光源が点灯されて青紫色光が前記ライトガイドに伝達されるようにしたことを特徴としたものである。
【０００８】
請求項２の発明は、請求項１の発明において、前記動力部には、第１及び第２のガイド溝を、前記ハンドピース部には前記第１及び第２のガイド溝に選択的に連結される単一のガイド板とを有し、該ガイド板が前記第１のガイド溝に連結された時に、前記白色光が前記ライトガイドに伝達され、前記ガイド板が前記第２のガイド溝に連結された時に、前記青紫色光が前記ライトガイドに伝達されるようにしたことを特徴としたものである。
【０００９】
請求項３の発明は、請求項１又は２の発明において、前記青紫色光は３８０ｎｍ〜４２０ｎｍの波長であることを特徴としたものである。
【発明の効果】
【００１０】
本発明によると、マイクロエンジンや超音波スケーラを用いて歯牙のう触部位の切除等を行う場合に、う蝕部位をよく見ること（認識すること）ができ、歯牙の健全部位まで削り取ってしまうようなことがなく、より安全かつ良好な歯科治療を行うことができる。
【発明を実施するための形態】
【００１１】
図１は、本発明による歯科治療用インスツルメントの一実施例を記明するための要部概略構成図で、図中、図２に示した従来技術と同様の作用をする部分には、図２の場合と同一の参照番号が付してある。図１において、１１１は動力部１０側に設けられた白色光源（ＬＥＤ）、１１２は青紫色光源（ＬＥＤ）、１２１は白色光源１１１に対応して設けられたガイド溝（孔）、１２２は青紫色光源１１２に対応して設けられたガイド溝（孔）、６はハンドピース１側に設けられたガイド板（ピン）である。
【００１２】
歯科治療に当り、通常の歯科治療においては、ガイド板（ピン）６をガイド溝（孔）１２１に差し込んで、ハンドピース１を動力部１０に連結する。ガイド板６がガイド溝１２１に差し込まれると動力部１０側の白色光源１１１がハンドピース１側のライトガイド５に対向し、同時に、ガイド板６がガイド溝１２１に差し込まれることによって白色光源１１１が点灯され、該ライトガイド５の先端５ａからは白色光が放射される。
【００１３】
う歯の治療においては、ガイド板６をガイド溝１２２に差し込む。すると、動力部１０側の青紫色光源１１２がハンドピース１側のライトガイド５に対向し、同時に、ガイド板６がガイド溝１２２に差し込まれることによって青紫色光源１１２が点灯し該ライトガイド５ａの先端から青紫色光が放射される。
【００１４】
青紫色光をう蝕部に照射すると、該う蝕部が赤く光り、該う蝕部をよく見ること（認識すること）が可能となり、う蝕部のまわりの健全な歯牙まで切削してしまうようなことはなくなるが、その場合、健全な歯牙部は青紫色光で照射されており、境界部での輪郭が必ずしも明瞭でない場合がある。そのような場合は、青紫色線をカットするフィルタ付きの眼鏡を用いると、う蝕部位が赤く、健全部位が青く見え、う蝕部位と健全部位との境界がより明確に認識され、同時に、術者の目を青紫線（紫外線）等から保護することができる。
【００１５】
以上には、本発明をマイクロエンジンに適用した場合の例について説明したが、本発明は、マイクロエンジンに限定されるものではなく、超音波スケーラ等、歯牙の切削等に用いられるその他の歯科治療用インスツルメントにも適用可能であることは容易に理解できよう。
【図面の簡単な説明】
【００１６】
【図１】本発明による歯科治療用インスツルメントの一実施例を説明するための要部概略構成図である。
【図２】本発明が適用されるインスツルメントの一例としての従来の歯科治療用インスツルメントの例を説明するための要部概略構成図である。
【符号の説明】
【００１７】
１…ハンドピース部、５…ライトガイド、６…ガイド板、１０…動力部、１１１…白色光源、１１２…青紫色光源、１２１，１２２…ガイド溝。
【図１】
0005444181.tif 000002
【図２】
0005444181.tif 000003